(57)【要約】 【課題】ヨークとステータとの間で軸方向と径方向との両方向にわたって磁束の受渡しを行う磁束受渡部材を用いて磁気吸引力を向上し、小型、軽量、安価な電磁弁を提供する。【解決手段】磁束受渡部材をなす取付ブラケット２７には、ヨーク２４とステータ２８との間に介在される主受渡部分４１に加えて、ヨーク２４の外周面に嵌め込まれる円弧状の補助受渡部分４２を設け、この補助受渡部分４２の内周面とヨーク２４の外周面とを磁束受渡面として積極的に活用して、取付ブラケット２７によりヨーク２４とステータ２８との間で軸方向と径方向との両方向にわたって磁束の受渡しを行わせる構成とした。これにより、ヨーク２４とステータ２８との間の磁束受渡面積の増大を図れ、板状の取付ブラケット２７やヨーク２４の厚みを変更することなく、磁気吸引力を向上することができる。【選択図】  図２
2012117585.tif 000002
【特許請求の範囲】
【請求項１】
ソレノイドと同軸的に配置され磁気吸引力を受けることにより、流体通路を開閉する弁体を軸方向に駆動するプランジャと、
前記ソレノイドの外周を覆う筒状のヨークと、
このヨークおよび前記プランジャとともに磁気回路を形成し、前記プランジャを磁気吸引する環状のステータと、
前記ヨークと前記ステータとの間に介在され、前記ヨークと前記ステータとの磁束の受渡しを行う磁束受渡部材とを備え、
前記磁束受渡部材は、前記ヨークの端面と前記ステータの端面とによって軸方向で挟まれる主受渡部分と、前記ヨークの外周面に嵌め込まれる円弧状の補助受渡部分とを有しており、
前記磁束受渡部材が前記ヨークと前記ステータとの間で軸方向と径方向との両方向にわたって磁束の受渡しを行うことを特徴とする電磁弁。
【請求項２】
請求項１に記載の電磁弁において、
前記ヨークは、前記磁束受渡部材側の端部に複数個の係合用爪を備え、この複数個の係合爪は軸方向に突出し、かつ周方向に等間隔に配置されており、
前記磁束受渡部材は、環状の前記主受渡部分を備え、前記主受渡部分には前記複数個の係合用爪を挿通する複数個の孔部が周方向に等間隔に設けられており、
前記複数個の係合用爪が前記複数個の孔部にそれぞれ挿通された後カシメられることで、前記ヨーク、前記ステータおよび前記磁束受渡部材を軸方向に固定することを特徴とする電磁弁。
【請求項３】
請求項２に記載の電磁弁において、
前記磁束受渡部材は、前記補助受渡部分が前記環状の主受渡部分の外周側端から軸方向に折曲形成されるとともに、前記補助受渡部分が前記複数個の孔部によって周方向に複数個に分割されていることを特徴とする電磁弁。
【請求項４】
請求項１ないし請求項３のいずれかに記載の電磁弁において、
前記磁束受渡部材は、前記電磁弁を外部の所定位置に固定する取付部分を有し、全体として取付ブラケットをなしていることを特徴とする電磁弁。
【請求項５】
請求項１ないし請求項４のいずれかに記載の電磁弁において、
前記磁束受渡部材は、一枚の磁性板からプレス加工により形成されていることを特徴とする電磁弁。
【請求項６】
請求項１ないし請求項４のいずれかに記載の電磁弁において、  
前記ステータの内周部に嵌め込まれ、前記プランジャを摺動自在に保持する筒状のカップを備え、
前記ヨークの内周面と前記ステータの外周面との間で径方向に形成される外周側隙間は、前記カップの外周面と前記ステータの内周面との間で径方向に形成される内周側隙間よりも大きいことを特徴とする電磁弁。
【発明の詳細な説明】
【技術分野】
【０００１】
本発明は、自動車のごとき車両に搭載される各種制御装置において、流体制御用アクチュエータとして有用されている電磁弁に関し、特に磁気回路の構造を改良した電磁弁に関するものである。
【背景技術】
【０００２】
(従来の技術）
従来よりこの種の電磁弁としては、種々な構成のものが実用に供されてきたが、一般的には、ソレノイドへ通電することにより磁気吸引力を発生させ、この磁気吸引力により弁体を駆動して流体通路を流れるガスやオイルなどの制御媒体の流れを制御することを基本構成としている。
【０００３】
その代表例について、例えば内燃機関の可変バルブタイミング制御を行う液圧装置に適用されている電磁弁を、図５により概説する。
図５に示すごとく、電磁弁１００は、液圧装置の内部に挿入されて流体通路（図示せず）と連通するとともに弁体を収容する弁本体部１０１と、液圧装置の外部に取付ブラケット１１２により固定されるとともに弁体を駆動するプランジャ１０２を収容する弁駆動部１０３とからなる。
【０００４】
弁本体部１０１は、流体通路に接続されるポート１０４を有するスリーブ１０５と、このスリーブ１０５の内周部を摺動しながら移動することによりポート１０４を開閉する上記弁体としてのスプール１０６と、このスプール１０６をスリーブ１０５内から押し出す方向に付勢するスプリング１０７とを有している。弁駆動部１０３は、図示しないコントローラ（ＥＣＵ）からの指令により通電されて磁気吸引力を発生するソレノイド１０８と、この磁気吸引力を受けることによりスプール１０６を駆動するプランジャ１０２と、このプランジャ１０２を摺動自在に保持するカップ１０９とを有している。
【０００５】
また、ソレノイド１０８への通電により生じる磁気回路は、主に、プランジャ１０２と、ソレノイド１０８を収容するヨーク１１０と、このヨーク１１０とプランジャ１０２との間に介在しプランジャ１０２を磁気吸引するステータ１１１とから形成される。なお、ヨーク１１０およびステータ１１１も、弁駆動部１０３の一部をなしている。
【０００６】
そして、液圧装置のコントローラ（ＥＣＵ）からの指令に応じてソレノイド１０８への通電状態が変わると、プランジャ１０２がカップ１０９内を摺動する。これに伴い、スプリング１０７に付勢されたスプール１０６が、プランジャ１０２と同軸的にスリーブ１０５内を摺動する。このようにしてポート１０４の開閉状態が変わるとともに、流体通路間の連通状態が制御される。
【０００７】
ところで、図６（ａ）に示すように、カップ１０９がステータ１１１の内周部に嵌め込まれている電磁弁１００では、カップ１０９の軸ズレが発生しやすい。そして、この軸ズレを吸収できないと、ステータ１１１とプランジャ１０２との間の磁気吸引力が径方向に大きく作用し、カップ１０９の変形やプランジャ１０２の摺動不良などが発生する。
【０００８】
このため、ヨーク１１０の内周面とステータ１１１の外周面との間、またはカップ１０９の外周面とステータ１１１の内周面との間に径方向の隙間を設けることにより、カップ１０９の軸ズレを吸収する構造が採用されている。ここで、ヨーク１１０の内周面とステータ１１１の外周面との間で径方向に形成される隙間を外周側隙間αと呼び、カップ１０９の外周面とステータ１１１の内周面との間で径方向に形成される隙間を内周側隙間βと呼ぶ。
【０００９】
通常、ヨーク１１０とステータ１１１との間で磁束を良好に受け渡すためには、外周側隙間αができるだけ小さく設計されるべきで、内周側隙間βを大きくすることにより、カップ１０９の軸ズレを、専ら、この内周側隙間βで吸収できるようにしている。しかし、内周側隙間βを大きくすると、ステータ１１１とプランジャ１０２とのギャップが大きくなるので、所定の磁気特性を得るために、ソレノイド１０８のコイル巻回数を増やす必要がある。このため、弁駆動部１０３の体格が大きくなってしまうという問題が生じる。
【００１０】
そこで、本発明者は、先に、図６（ｂ）に示すように、ヨーク１１０とステータ１１１との間で軸方向に磁束を受け渡すための磁束受渡部材１１３を特別に用い、外周側隙間αを大きくすることができる提案をした（例えば、特許文献１の図１ないし図３参照）。
上記構造によれば、環状をなす磁束受渡部材１１３が、ヨーク１１０の内周面に形成された段付部１１０ａに嵌め込まれて、ヨーク１１０とステータ１１１との間で軸方向に介在するため、外周側隙間αの大きさに関係なく、ヨーク１１０とステータ１１１との間で軸方向に磁束を受け渡すことができる。
【００１１】
（従来技術の問題点）
しかしながら、上記の磁束受渡部材１１３を特別に用いても、ヨーク１１０に形成できる段付部１１０ａの深さや磁束受渡部材１１３の軸方向の厚みに制約があることから、ヨーク１１０と磁束受渡部材１１３との間、したがってヨーク１１０とステータ１１１との間の磁束受渡面積が未だ不十分で、この磁束受渡面積を如何に大きくするかが、この種の電磁弁における当業者の課題となっている。
【００１２】
なお、上述の問題点は、内燃機関の可変バルブタイミング制御を行う液圧装置に適用されている電磁弁について詳説したが、その他の例えば自動変速機の多板クラッチや多板ブレーキの駆動制御を行う液圧装置などの制御装置に適用されている電磁弁においても、全く同様の問題を抱えている。
【００１３】
特に近年、自動車に搭載する各種装置、とりわけ内燃機関周りに装着する制御装置には、小型、軽量、安価であることが必達条件となっており、上記制御装置の中枢機能を担う電磁弁においても、かかる条件を満足する改良品の開発が待望されている。
【００１４】
本発明者は、かかる問題を究明すべく、種々の実験・研究を重ねたところ、ヨークの外周面をも磁束受渡面積として積極的に活用することにより、磁気吸引力を向上させることを見出した。
【先行技術文献】
【特許文献】
【００１５】
【特許文献１】特許第４２１４９６４号公報
【発明の概要】
【発明が解決しようとする課題】
【００１６】
本発明は、上記の究明結果に鑑みてなされたものであって、その目的とするところは、磁束受渡部材に、ヨークとステータとの間に介在させる主受渡部分に加えて、ヨークの外周面に嵌め込まれる補助受渡部分を設け、ヨークとステータとの間で軸方向と径方向との両方向にわたって磁束の受渡しを行わせることにより、磁気吸引力を向上でき、小型、軽量、安価な電磁弁を提供することにある。
【課題を解決するための手段】
【００１７】
請求項１に記載の発明によれば、ヨークとステータとの間に介在される磁束受渡部材は、ヨークの端面とステータの端面とによって軸方向で挟まれる主受渡部分と、ヨークの外周面に嵌め込まれる円弧状の補助受渡部分とを有しており、ヨークとステータとの間で軸方向と径方向との両方向にわたって磁束の受渡しが行われる構成を採用した。
【００１８】
かかる構成によれば、磁束受渡部材において主受渡部分の両端面と円弧状の補助受渡部分の内周面とを磁束受渡面積として活用でき、ヨークや磁束受渡部材の厚みを変更することなく、ヨークおよびステータと磁束受渡部材との間の磁束受渡面積を大きくすることが可能となり、磁気回路の磁気抵抗を低減することができる。これにより、発生する磁気吸引力が増大し、同一吸引力であれば、ソレノイドの体格を小さくすることができる。            
【００１９】
請求項２に記載の発明によれば、ヨークは、磁束受渡部材側の端部に複数個の係合用爪を備え、これらの爪が軸方向に突出し、かつ周方向に等間隔に配置されており、また、磁束受渡部材は、環状の主受渡部分を備え、この環状の主受渡部分には複数個の係合用爪を挿通する複数個の孔部が周方向に等間隔に設けられており、各係合用爪を各孔部に挿通させた後カシメることで、ヨーク、ステータおよび磁束受渡部材を軸方向に固定している。
このような構成にすることにより、磁束受渡部材とヨークとの周方向における取付位置関係を変えることができ、この磁束受渡部材に取付ブラケットの機能を兼ねさせる場合には、電磁弁の取付角度やコネクタの取出し向きを自由に選定できる。
【００２０】
請求項３に記載の発明によれば、磁束受渡部材は、補助受渡部分が環状の主受渡部分の外周側端から軸方向に折曲形成されるとともに、補助受渡部分が孔部によって周方向に複数個に分割されている。
かかる構成によれば、磁束受渡部材を補助受渡部分の根元部分（折曲部）の弾性力を利用して、ヨークの外周に圧入することができる。
【００２１】
請求項４に記載の発明によれば、磁束受渡部材は、電磁弁を外部の所定位置に固定する取付部分を有し、全体として取付ブラケットをなしている。これにより、磁束受渡部材に取付ブラケットの機能を兼務させることができる。
【００２２】
請求項５に記載の発明によれば、磁束受渡部材は、一枚の磁性板からプレス加工により形成されている。よって、構造簡単、安価な構造とすることができる。                                                        
【００２３】
請求項６に記載の発明によれば、ステータの内周部に嵌め込まれ、プランジャを摺動自在に保持する筒状のカップを備えており、ヨークの内周面とステータの外周面との間で径方向に形成される外周側隙間は、カップの外周面とステータの内周面との間で径方向に形成される内周側隙間よりも大きい。
このような構成にすることにより、磁束受渡部材とは関係なく、カップの軸ズレを吸収できる。
【図面の簡単な説明】
【００２４】
【図１】本発明の電磁弁の縦断面図である（実施例）。
【図２】図１の要部である磁束受渡構造部分を拡大して示す縦断面図である（実施例）。
【図３】図１のＡ−Ａ線に沿う取付ブラケット部分を一部断面して示す正面図である（実施例）。
【図４】図１に示す電磁弁の要部外観図である（実施例）。
【図５】従来の電磁弁の断面図である（従来技術）。
【図６】（ａ）、（ｂ）はいずれも従来の電磁弁における磁束受渡構造部分の説明図である（従来技術）。
【発明を実施するための形態】
【００２５】
本発明を実施するための形態は、ヨークとステータとの間の磁束受渡面積を増大するという課題を、ヨークとステータとの間に介在する磁束受渡部材に、主受渡部分に加えて円弧状の補助受渡部分を設け、この補助受渡部分をヨークの外周面に嵌め込むことにより、ヨークとステータとの間で軸方向と径方向との両方向にわたって磁束の受渡しを行わせる構成にすることで実現した。
【実施例】
【００２６】
以下、図面を参照して本発明の具体的な実施形態について説明する。なお、各図において共通する要素には、同一の符号を付して、重複する説明を省略する。
［実施例１］
図１ないし図４は、本発明の実施例１を示すものであって、図１に基づいて電磁弁１の全体構成を概説するとともに、図２ないし図４に基づいて本発明の特徴部分について詳説する。
【００２７】
〔電磁弁１の全体構成〕
図１に示すように、本実施例の電磁弁１は、ソレノイド２への通電により生じる磁気吸引力によって、弁体としてのスプール３を駆動する基本構造である。そして、この電磁弁１は、内燃機関（図示せず）の可変バルブタイミング制御を行う液圧装置（図示せず）に搭載されることにより、液圧装置内部の流体通路（図示せず）間の連通状態を、ソレノイド２への通電状態に応じて制御する。
【００２８】
電磁弁１は、大別すると、弁本体部４と弁駆動部５とからなる。弁本体部４は、液圧装置の内部に挿入されて流体通路と連通するとともに、流体通路間の連通状態を切り替えるスプール３を収容する部分である。弁駆動部５は、液圧装置の外部に固定されるとともに、スプール３を駆動するプランジャ６および通電を受け磁気吸引力を発生させるソレノイド２を収容する部分である。なお、以降の説明において、前後、上下は図１に示す方向に準ずるものとする。
【００２９】
弁本体部４は、流体通路に接続される複数のポートからなるポート群７を有する円筒状のスリーブ８と、スリーブ８の内周部を摺動しながら移動することによりポート群７を開閉するスプール３と、スプール３をスリーブ８内から押し出す方向に付勢するスプリング９とを有している。
【００３０】
スプール３は円筒状の弁体であり、前端面が開口部１０をなすとともに、円筒状の中空部１１が、長軸方向に形成されている（以降、スプール３の長軸方向を、単に軸方向と呼ぶ）。また、スプール３の外周面には、軸方向に幅広の周溝１２が設けられている。さらに、周溝１２を挟んで前後対称となる位置には、外周面から中空部１１に向かい垂直に貫通した貫通穴１３、１４が、スプール３の長軸を挟んで上下に設けられている。なお、開口部１０にはスプール３の長軸と同軸的にスプリング９が配設されている。また、後端部は、結合部材１５によりプランジャ６と結合されている。
【００３１】
プランジャ６は、円柱状をなしていて、前端部で結合部材１５によりスプール３と結合されるとともに、全体がソレノイド２の中心軸と同軸的に配置されており、磁気吸引力を受けて移動し、スプール３を軸方向に駆動するものである。プランジャ６には、軸方向に貫通した呼吸穴６ａが設けられ、プランジャ６の移動に伴いカップ２６の後端部内への空気または液の出し入れ（呼吸作用）が行われる。  
【００３２】
スリーブ８は、スプール３を前後方向に摺動自在に収容する円筒状の弁ハウジングである。スリーブ８の前端面は開口部１６をなし、スプール３側の開口部１０に、常時、臨んでいる。また、スリーブ８の内周面には、３つの周溝１７、１８、１９が設けられており、これらの周溝１７、１８、１９に向かって、外周面から垂直に貫通したポート２０、２１、２２が設けられている。すなわち、周溝１７、１９には、外周面の下側からポート２０、２２が貫通して設けられ、周溝１８には、上側から貫通したポート２１が設けられている。そして、ポート２０は主に貫通穴１３と連通し、ポート２１は主に周溝１２と連通し、ポート２２は主に貫通穴１４と連通する。なお、スプール３の幅広の周溝１２は、周溝１７と周溝１８、または周溝１８と周溝１９とが連通できる程度の幅を軸方向に有している。
【００３３】
なお、以上のスプール３とスリーブ８との関係は、従来より汎用されている基本構成の一例である。
そして、スリーブ８の後端部は、ポート２０、２１、２２が設けられている円筒部よりも径大のフランジ部２３をなしている。このフランジ部２３は、弁本体部４と弁駆動部５との結合に供されるものであり、フランジ部２３の前端面の外周縁には、ヨーク２４との係合に必要な係合用傾斜面２３ａが設けられ、フランジ部２３の内周側には、Ｏリング２５が装着されている。
【００３４】
弁駆動部５は、液圧装置のコントローラ（図示せず）からの指令により通電を受け磁気吸引力を発生するソレノイド２と、磁気吸引力を受けることによりスプール３を駆動するプランジャ６と、プランジャ６を摺動自在に保持するカップ２６と、弁駆動部５を液圧装置の外部に固定する取付ブラケット２７を有している。また、ソレノイド２への通電により生じる磁気回路は、主に、プランジャ６と、ソレノイド２を収容するヨーク２４と、ヨーク２４とプランジャ６との間に介在するステータ２８と、特に後で詳述する磁束受渡機能を果たす取付ブラケット２７との間で形成される。なお、磁気回路を形成するこれらの部材は、すべて鉄などの強磁性材料よりなる。ここで、ヨーク２４およびステータ２８も、弁駆動部５の一部をなしている。
【００３５】
ソレノイド２は、軸方向に所定間隔で巻かれたコイル２９とコイル２９が埋設される樹脂成形部３０とからなる筒状体であり、ヨーク２４に収容されている。
なお、弁駆動部５の後端には、ソレノイド２を収容したヨーク２４に、コネクタ３１がインサート成形により組付けられており、コイル２９は、コネクタ３１の結線部３２に設けられた端子ピン３３を介してコントローラ（図示せず）に接続される。弁駆動部５に対する結線部３２の取付角度（端子ピン３３の取出し向き）は、コントローラの装着位置や結線の作業性などを考慮して選定されるもので、本例では軸方向に対して垂直な上向きとなっている。
【００３６】
ヨーク２４は、外筒と内筒とを有する縦断面Ｕ字状の二重円筒形を呈していて、主に、筒状体のソレノイド２を嵌入する外筒側の径大筒部３４と、カップ２６を支持するとともにプランジャ６との間で磁束の受け渡しを行う内筒側の径小筒部３５とからなる。
この径大筒部３４の前端部（取付ブラケット２７側）には複数個の係合用爪３６が設けられており、各係合用爪３６の先端部が、スリーブ８のフランジ部２３の係合用傾斜面２３ａにカシメにより係合されることによって、ヨーク２４、取付ブラケット２７およびステータ２８が軸方向に固定され、弁本体部４と弁駆動部５とが一体に結合されている。
【００３７】
カップ２６は、ソレノイド２と同軸的にその内周側に配置される筒部３８と、筒部３８の前端部外周から外側に向かって延展された鍔部３９とからなる。筒部３８は、後端が閉鎖されるとともに、前端が開口されており、プランジャ６を摺動自在に保持するとともに、プランジャ６が後方へ抜け出るのを防止している。すなわち、筒部３８の内周面とプランジャ６の外周面とが摺動しつつ、プランジャ６が前後に移動するとともに、筒部３８の後端にプランジャ６の後端面が突き当たることにより、プランジャ６の後方への抜け出しが防止される。なお、鍔部３９は、Ｏリング２５とステータ２８の前端面とで挟持されている。
【００３８】
ステータ２８は、ソレノイド２の前端側に配置されて、ヨーク２４とプランジャ６との間に磁気回路を形成する。ステータ２８は径方向に所定の幅を有する略円環状の平板をなしている。ステータ２８の内周部には、カップ２６の筒部３８が前方から嵌め込まれ、鍔部３９の後端面がステータ２８の前端面に面接している。また、ステータ２８の内周縁から後方に向かって円筒状のコア部４０が突出している。コア部４０の外周面は後方に向かい径小となるテーパ状をなしている。これにより、ステータ２８とプランジャ６との間で磁束の受渡しが行われる。
【００３９】
〔本発明の特徴部分の構成〕
ヨーク２４、取付ブラケット２７およびステータ２８が、本発明の特徴部分をなしており、図２ないし図４にその詳細構造の一形態が示されている。
ヨーク２４の係合用爪３６は、径大筒部３４と同じ厚みを有する平板状突片の形態で４個設けられている。特に、この４個の爪３６は、径大筒部３４の前端部において、軸方向に突出し、かつ円周方向に等間隔（９０°間隔）で配置されている。そして、各爪３６の先端部３６ａが、フランジ部２３の係合用傾斜面２３ａにカシメ（折り曲げ）られる。    
また、径大筒部３４の前端部において、相隣る係合用爪３６間に位置する４個に分割された端面部分３７は、取付ブラケット２７の主受渡部分４１の外周側後端面と面接し、主受渡部分４１との間で軸方向に磁束の受渡しを行う磁束受渡面を形成している。
【００４０】
取付ブラケット２７は、電磁弁１自体を外部の所定位置に固定する機能を兼務しているが、本発明の重要な構成要素をなす磁束受渡部材としての機能を司るものである。取付ブラケット２７は、一枚の磁性板（例えば鉄板）からプレス加工により形成されており、基盤をなす円環状の主受渡部分４１と、この主受渡部分４１から軸方向に突出する４個の円弧状の補助受渡部分４２と、主受渡部分４１から外径方向に延展する取手状の取付部分４３とを有している。
【００４１】
基盤をなす円環状の主受渡部分４１は径方向に所定の幅を有し、中央の取付穴部４１ａで、ソレノイド２の樹脂成形部３０前端面およびステータ２８の後端面に設けられた段付部３０ａ、２８ａに嵌め込まれている。そして、主受渡部分４１の外周縁には、補助受渡部分４２を分割区分する３個の切欠き４４と１個の穴４５が、円周方向に等間隔（９０°間隔）配置となるように設けられている。これらの切欠き４４および穴４５（以下、両者を総称する場合には孔部と呼ぶ。）にはそれぞれ係合用爪３６が挿通される。
【００４２】
４個の円弧状の補助受渡部分４２は、主受渡部分４１の外周側端から軸方向に突出し、かつ円周方向に等間隔（９０°間隔）配置となるように折曲形成されている。また、各補助受渡部分４２は、その根元部分が折曲形成されて弾性力（復元力）を有しているため、この弾性力を利用して、ヨーク２４の径大筒部３４の外周に圧入することができる。したがって、４個の補助受渡部分４２をヨーク２４の径大筒部３４の外周面に圧入できるように、補助受渡部分４２の内径と径大筒部３４の外径との公差や係合用爪３６と孔部（切欠き４４および穴４５）との公差が適宜選定される。
かくして、補助受渡部分４２の内周面とヨーク２４の径大筒部３４の外周面とが充分な面積で当接し、径方向の磁束の受渡しが行われる。
【００４３】
ステータ２８は、段付部２８ａを有する以外は従前通りの略円環状の平板をなしているものの、その外周側の後端面が取付ブラケット２７の主受渡部分４１の前端面と面接しており、軸方向の磁束の受渡しが行われる。
【００４４】
以上により、取付ブラケット２７は、第１に、円環状の主受渡部分４１の両端面が、ヨーク２４の径大筒部３４の前端部における端面部分３７およびソレノイド２の樹脂成形部３０の前端面の突起部３０ｂとステータ２８の外周側の後端面とにより軸方向で挟まれることにより、電磁弁１内に拘束されるとともに、ヨーク２４とステータ２８との間で軸方向に磁束の受渡しを行う。また、取付ブラケット２７は、第２に、各補助受渡部分４２の内周面とヨーク２４の径大筒部３４の外周面とが充分な面積で当接しており、ヨーク２４と径方向でも磁束の受渡しを行う。
【００４５】
なお、本実施例の電磁弁１は、カップ２６がステータ２８の内周部に嵌め込まれる構造を有するタイプである。ヨーク２４とカップ２６とステータ２８との相互間の径方向隙間については図示を省略しているが、図６（ｂ）に示す構造に準じて、ヨーク２４（各係合用爪３６）の内周面とステータ２８（筒部３８）の外周面との間で径方向に形成される外周側隙間αが、カップ２６の外周面とステータ２８の内周面との間で径方向に形成される内周側隙間βよりも大きく設定される。
【００４６】
〔実施例１の基本動作〕
本実施例の電磁弁１の基本動作は、次の通りである。
まず、図示しないコントローラ（ＥＣＵ）からの指令に応じてソレノイド２のコイル２９への通電状態が変わると、プランジャ６に作用する磁気吸引力が変わる。これに伴い、プランジャ６がカップ２６の筒部３８内を摺動する。そして、プランジャ６と結合されたスプール３が駆動されてスリーブ８内を摺動する。例えば、コイル２９への通電量が増え、磁気吸引力が大きくなるとプランジャ６は前方へ移動する。これにより、スプール３が駆動され、スプリング９の付勢力に抗して前方へ移動する。逆に、コイル２９への通電量が減り、磁気吸引力が小さくなるとスプリング９の付勢力により、スプール３およびプランジャ６は後方へ移動する。このようにして、各ポート２０、２１、２２の開閉状態が変わるとともに、各ポート２０、２１、２２に接続された流体通路間の連通状態が制御される。
【００４７】
〔実施例１の特徴的な作用効果〕
実施例１の電磁弁１では、カップ２６がステータ２８の内周部に嵌め込まれる構造を有するタイプであるため、外周側隙間αが内周側隙間βよりも大きくなるようにしている。
これにより、内周側隙間βを小さくして、カップ２６の軸ズレを外周側隙間αで吸収することができる。
一方、上記のように、外周側隙間αを大きくし得るのは、外周側隙間αの大きさにほとんど左右されることなく、しかもヨーク２４の径大筒部３４や磁束受渡部材の厚みを特別に変更（厚く）することなしに、磁束受渡部材をなす取付ブラケット２７によって、ヨーク２４とステータ２８との間に充分大きな磁束受渡面積を確保し、ヨーク２４とステータ２８との間で充分な量の磁束を受渡すことができることによる。
つまり、取付ブラケット２７は、主受渡部分４１の外周部の後端面が、ヨーク２４の径大筒部３４の前端部の端面部分３７と面接することにより、ヨーク２４との間で軸方向に磁束の受渡しを行う第１の磁束受渡面を構成すると同時に、４個の補助受渡部分４２の内周面が、ヨーク２４の径大筒部３４の外周面に面接することにより、ヨーク２４との間で径方向に磁束の受渡しを行う第２の磁束受渡面を構成する。したがって、取付ブラケット２７は、ヨーク２４との間で、上記第１の磁束受渡面（軸方向）と第２の磁束受渡面（径方向）との両方向からの大きな磁束受渡面積により充分な磁束の受渡しを行うことができる。
しかも、取付ブラケット２７は、主受渡部分４１の前端面全体が、ステータ２８の外周部の後端面に面接しており、ステータ２８との間で軸方向に磁束の受渡しを行う大きな磁束受渡面を構成している。したがって、ステータ２８との間で、大きな磁束受渡面積により充分な量の磁束の受渡しを行わせることができる。
かくして、取付ブラケット２７により、ヨーク２４とステータ２８との間で軸方向と径方向の両方向にわたって、大きな磁束受渡面積により充分な量の磁束を受渡すことができる。この結果、ギャップを縮小するために内周側隙間βを小さくしても、カップ２６の軸ズレを吸収できるとともに、ヨーク２４とステータ２８との間で磁束を良好に受渡すことができる。したがって、ギャップを縮小し、ソレノイド２のコイル巻回数を減らして弁駆動部５の体格を小さくすることができるとともに、カップ２６の軸ズレによるカップ２６の変形やプランジャ６の摺動不良などを防止することができる。
【００４８】
また、取付ブラケット２７は、切欠き４４とヨーク２４の係合用爪３６との係合位置関係を９０°間隔で変更することができる。
これにより、電磁弁１自体の取付角度やコネクタ３１（端子ピン３３）の取出し向きを周辺機器の状況に応じて選定することができ、搭載性に自由度が得られる。
【００４９】
〔変形例〕
実施例１では、プランジャ６を摺動自在に保持するカップ２６がステータ２８の内周部に嵌め込まれる構造を有するタイプの電磁弁を例示したが、カップ２６を用いることなく、プランジャ６を摺動自在に保持する構造を有するタイプの電磁弁にも、勿論適用可能である。
また、実施例１では、主受渡部分４１と補助受渡部分４２と取付部分４３とを一枚の磁性板にて一体形成した取付ブラケット２７を採用し、磁束受渡部材に取付機能を兼務させるようにしたが、取付部分４３を別体にし、取付部材と磁束受渡部材とを独立させることもできる。
また、実施例１では、磁束受渡部材（取付ブラケット２７）に設ける、補助受渡部分４２、孔部（切欠き４４および穴４５）およびヨーク２４の係合用爪３６の数を４個としたが、２個以上の複数個であればよい。
さらに、実施例１では、電磁弁１を内燃機関の可変バルブタイミング制御を行う液圧装置に搭載したが、自動変速機の多板クラッチや多板ブレーキの駆動制御を行う液圧装置などに搭載することもできる。  
【符号の説明】
【００５０】
１    電磁弁
２    ソレノイド
３    スプール（弁体）
６    プランジャ
２４    ヨーク
２６    カップ
２７    取付ブラケット（磁束受渡部材）
２８    ステータ
３４    径大筒部
３６    係合用爪
３９    鍔部
４１    主受渡部分
４２    補助受渡部分
４３    取付部分
４４    切欠き（孔部）
４５    穴（孔部）
α    外周側隙間
β    内周側隙間
【図１】
2012117585.tif 000003
【図２】
2012117585.tif 000004
【図３】
2012117585.tif 000005
【図４】
2012117585.tif 000006
【図５】
2012117585.tif 000007
【図６】
2012117585.tif 000008